(57)【要約】      （修正有）【課題】滑り止め用床材の損失を最小化し、塗膜の厚さが均一に形成されることにより、滑り止め層の耐摩耗性、滑り抵抗性、接着性および施工便宜性が改善された覆工板を提供する。【解決手段】車や人の通行のために仮設される支持構造物の上側に設けられる滑り止め層を備えた覆工板１００において、支持構造物の上部を覆って臨時路面が形成されるように支持構造物上に設けられる上板部１０と、該上板部１０に加えられる荷重に対する支持強度を補強するために上板部１０の下部に設けられ、上板部１０と支持構造物の間を支持する補強部２０と、上板部１０の上縁部に沿って上側に突設されて内部に塗布空間が形成される塗膜ガイド部４０と、塗布空間にアクリル系樹脂またはエポキシ系樹脂を含む滑り止め用床材が塗装された滑り止め層とを含む、滑り止め層を備えた覆工板１００を提供する。【選択図】図１
2018105110.tif 000002
【特許請求の範囲】
【請求項１】
車や人の通行のために仮設される支持構造物の上側に設けられる滑り止め層を備えた覆工板において、
前記支持構造物の上部を覆って臨時路面が形成されるように前記支持構造物上に設けられる上板部と、
前記上板部に加えられる荷重に対する支持強度を補強するために前記上板部の下部に設けられ、前記上板部と前記支持構造物の間を支持する補強部と、
前記上板部の上縁部に沿って上側に突設されて内部に塗布空間が形成される塗膜ガイド部と、
前記塗布空間にアクリル系樹脂またはエポキシ系樹脂を含む滑り止め用床材が塗装された滑り止め層と、を含む滑り止め層を備えた覆工板。
【請求項２】
前記塗膜ガイド部の内部には、前記塗布空間の底部が複数の高さで形成された段差型の表面プロファイルに形成されるように結合支持部が備えられることを特徴とする請求項１に記載の滑り止め層を備えた覆工板。
【請求項３】
前記結合支持部は、
前記塗布空間が複数区画に分割されて前記滑り止め用床材が分割充填される空間部が形成されるように、前記塗膜ガイド部の高さに対応する高さを有する複数の隔壁部材で相互交差配置されていることを特徴とする請求項２に記載の滑り止め層を備えた覆工板。
【請求項４】
さらに、前記補強部の下側に設けられ、前記支持構造物の端部に係止され、前記上板部が前記支持構造物上に整列および安着するように下側に突設された整列安着部を有し、
前記塗膜ガイド部には上端部が内側に折り曲げられて延びた保護部が備えられ、
前記保護部は前記整列安着部が安着される幅で延びることを特徴とする請求項１に記載の滑り止め層を備えた覆工板。
【請求項５】
前記滑り止め用床材は、メチルメタアクリル樹脂を含む前記アクリル系樹脂と、石英、二酸化ケイ素、炭化ケイ素、ヒスイ(ｊａｄｅ)、ガラスビーズおよびこれらの混合物からなる群から選ばれた一つからなる骨材および反応添加剤を含み、３〜５ｍｍの厚さに塗布され、
前記塗膜ガイド部は前記塗布された滑り止め用床材の厚さに対応するように延びることを特徴とする請求項１に記載の滑り止め層を備えた覆工板。
【発明の詳細な説明】
【技術分野】
【０００１】
本発明は滑り止め層を備えた覆工板に関し、より詳しくは、滑り止め用床材の損失を最小化し、塗膜の厚さが均一に形成されることにより、滑り止め層の耐摩耗性、滑り抵抗性、接着性および施工便宜性が改善された滑り止め層を備えた覆工板に関する。
【背景技術】
【０００２】
一般的に覆工板は、地下工事のために路面下を掘削するか或いは仮設橋梁を設ける場合、道路を覆って車や人が通行可能な支持構造物を仮設した状態において、該支持構造物の上部に設けられる仮設部材として使用されている。
【０００３】
従来の覆工板は鉄材であったため上面の滑り抵抗性が落ち、鉄材表面におけるオイルなどの異物質或いは雨天時に覆工板の上面とタイヤの間におけるハイドロプレーン現象により交通事故が頻繁に発生した。したがって、滑りによる交通事故を防止するために、従来の覆工板の上面には滑り止め用床材を塗布する。
【０００４】
従来では、滑り止め施工のために覆工板の上面に滑り止め用床材を塗布する前に、覆工板の上面の縁部に滑り止め用床材が落ちることを防止するためにマスキングテープを貼った。また鉄材用下塗りを塗布し、滑り止め用床材の塗料をへらなどを用いて覆工板の上面に塗布した後、ローラーブラシを用いて表面粗度を確保した後にマスキングテープを剥がす方法で滑り止め用床材を施工した。
【０００５】
しかし、この滑り止め用床材の塗料は、塗装作業中にマスキングテープと覆工板の上面の縁部の間に多量流れ落ちてロス率が高くなり、滑り止め用床材の消耗が激しいという問題がある。
【０００６】
またマスキングテープ、ローラーブラシの消耗および滑り止め用床材の塗料の損失などにより建設廃棄物が発生し、施工時間および費用が増大する問題がある。なお、マスキングの除去および覆工板の端部の塗装・除去作業などの工程が発生して作業効率が低下する問題がある。
【０００７】
また従来では、覆工板への荷重または外部環境などにより歪みが生じるか、上下方向に複数個を積層する場合、覆工板の荷重によりその上面に塗布された滑り止め用床材のコーティング層が覆工板の上面から剥がれたりクラックなど損傷が生じたりする問題がある。したがって従来の覆工板は不良率が高く無駄な補修作業および維持費用が発生して経済性および生産性が低下する問題がある。
【０００８】
さらに、従来の覆工板では滑り止め用床材が約１〜８時間経過後に積層可能であるため、広い敷地がない製造施設では滑り止め層を備えた覆工板を制作し難い問題がある。
【先行技術文献】
【特許文献】
【０００９】
特許文献１：韓国登録実用新案第２０−０１６３３９４号公報
【発明の概要】
【発明が解決しようとする課題】
【００１０】
上記問題を解決するために、本発明は滑り止め用床材の損失を最小化し、塗膜の厚さが均一に形成されることにより、滑り止め層の耐摩耗性、滑り抵抗性、接着性および施工便宜性が改善された滑り止め層を備えた覆工板を提供することを目的とする。
【課題を解決するための手段】
【００１１】
上記問題を解決するために、本発明は、車や人の通行のために仮設される支持構造物の上側に設けられる滑り止め層を備えた覆工板において、支持構造物の上部を覆って臨時路面が形成されるように支持構造物上に設けられる上板部と、該上板部に加えられる荷重に対する支持強度を補強するために上板部の下部に設けられ、上板部と支持構造物の間を支持する補強部と、上板部の上縁部に沿って上側に突設されて内部に塗布空間が形成される塗膜ガイド部と、塗布空間にアクリル系樹脂またはエポキシ系樹脂を含む滑り止め用床材が塗装された滑り止め層と、を含む滑り止め層を備えた覆工板を提供する。
【００１２】
ここで、塗膜ガイド部の内部には、塗布空間の底部が複数の高さで形成された段差型の表面プロファイルに形成されるように結合支持部が備えられることが好ましい。
【００１３】
結合支持部は、塗布空間が複数区画に分割されて滑り止め用床材が分割充填される空間部が形成されるように、塗膜ガイド部の高さに対応する高さを有する複数の隔壁部材で相互交差配置されていることが好ましい。
【００１４】
さらに補強部の下側に設けられ、支持構造物の端部に係止され、上板部が支持構造物上に整列および安着するように下側に突設された整列安着部を有し、塗膜ガイド部には上端部が内側に折り曲げられて延びた保護部が備えられ、保護部は整列安着部が安着される幅で延びることが好ましい。
【００１５】
滑り止め用床材は、メチルメタアクリル樹脂を含むアクリル系樹脂と、石英、二酸化ケイ素、炭化ケイ素、ヒスイ(ｊａｄｅ)、ガラスビーズおよびこれらの混合物からなる群から選ばれた一つからなる骨材および反応添加剤を含み、３〜５ｍｍの厚さに塗布され、塗膜ガイド部は塗布された滑り止め用床材の厚さに対応するように延びることが好ましい。
【発明の効果】
【００１６】
本発明による滑り止め層を備えた覆工板は、以下のような効果を奏する。
【００１７】
第一に、作業者が塗膜ガイド部および結合支持部の高さに対応して凹凸形成層を形成すると、滑り止め層が均一な厚さに形成されるだけではなく、塗膜ガイド部により滑り止め用床材が上板部の外側に流れ出ることが防止されて損失を最小化でき、塗布作業中にマスキングテープなどの使用が減少するので、施工にかかる費用および時間を節減して経済性が向上する。
【００１８】
第二に、塗膜ガイド部内に形成された塗布空間は結合支持部により分割区画されるので、滑り止め用床材が付着される面積が増加して付着強度が向上し、滑り止め層の脱落が最小になって製品の耐久性が向上する。
【００１９】
第三に、滑り止め層は塗膜ガイド部の高さに対応するように延びた結合支持部により上面に加えられる荷重が支持されるので、滑り止め層を備えた覆工板を上下方向に積層するか或いは上面に全体的に荷重が加えられた場合にも損傷を最小化して製品の耐久性が向上する。
【００２０】
第四に、覆工板が上下方向に積層される場合、下側に配置される覆工板の保護部上にはその上側に積層される他の覆工板の整列安着部が安着されて加圧されるので、滑り止め層の脱落或いはクラックの発生が防止されて製品の不良率を最小化し、滑り止め層が硬化する前にも積層できるので広い敷地がない製造施設でも製作可能である。
【００２１】
第五に、滑り止め用床材は塗膜ガイド部により上板部の外側に流れ落ちることが防止されるので、様々な紋様板を用いて滑り止め層の表面を加圧して様々な紋様の滑り止め層を形成することができ、製品の審美感が向上する。
【図面の簡単な説明】
【００２２】
【図１】本発明の第１の実施形態による滑り止め層を備えた覆工板を示す斜視図である。
【図２】図１におけるＡ−Ｂ方向からの断面例示図である。
【図３】本発明の第２の実施形態による滑り止め層を備えた覆工板を示す分解斜視図である。
【図４】本発明の第２の実施形態による滑り止め層を備えた覆工板の長手方向断面図である。
【図５】本発明の第２の実施形態による滑り止め層を備えた覆工板に滑り止め用床材が塗布された状態で凹凸形成用ローラが適用された状態を示す例示図である。
【図６】本発明の第３の実施形態による滑り止め層を備えた覆工板を示す斜視図である。
【図７】本発明の第３の実施形態による滑り止め層を備えた覆工板が積層された状態を示す例示図である。
【発明を実施するための形態】
【００２３】
以下、図面を参照しながら、本発明の好ましい実施形態による滑り止め層を備えた覆工板について詳細に説明する。
【００２４】
図１は本発明の第１の実施形態による滑り止め層を備えた覆工板を示す斜視図であり、図２は図１におけるＡ−Ｂ方向からの断面例示図である。
【００２５】
図１および図２に示したように、本発明の第１の実施形態による滑り止め層を備えた覆工板１００は、上板部１０、補強部２０、塗膜ガイド部４０および滑り止め層Ｍからなる。
【００２６】
ここで、滑り止め層を備えた覆工板１００は、地下工事のために路面下を掘削するか或いは仮設橋梁を設ける場合、道路を覆って車や人が通行可能な臨時路面を形成するために仮設される支持構造物の上側に設けられる。この時、支持構造物は所定の間隔で離隔配置された複数のＨビームまたはＩビームなどの鉄製ビームである。すなわち、複数の滑り止め層を備えた覆工板１００は、夫々の鉄製ビームの間に上面が連続したプロファイルに連結および配列され、これら複数の滑り止め層を備えた覆工板１００上を車や人が通行できる。滑り止め層を備えた覆工板１００には滑り止め層Ｍが形成されて滑り止めの効果がある。
【００２７】
上板部１０は、支持構造物上に形成され、上方から加えられる荷重を支持可能な所定の厚さを有する板状であることが好ましい。詳しくは、上板部１０は全体的に矩形の平板であり、支持構造物の間の空間を覆うために長手方向の両端部が所定の長さに延びる。これにより、上板部１０の両端が隣り合う夫々の支持構造物に安着することができる。
【００２８】
上板部１０は、覆蓋区間、臨時橋梁の上板、橋梁補修区間などに活用され、上側を通行する車の荷重を堅固に支持可能な鋼鉄材からなることが好ましい。場合によっては、上板部１０は合金または他の金属性材質で形成され、材質に限定されないが、製造コスト、耐久性、耐食性および疲労強度などが考慮された剛性の材質で形成することが好ましい。
【００２９】
上板部１０の夫々の角部には、滑り止め層を備えた覆工板１００の運搬または設置時にクレインの連結を容易にするために複数の連結孔が形成される。
【００３０】
上板部１０の上面には複数の突起部が形成される。複数の突起部は上板部１０の上側に所定の高さに突設され、所定の間隔で離隔配置されて上板部１０上に全体的に形成される。よって滑り止め層Ｍを形成する時に、突出部により滑り止め層Ｍと上板部１０の接触面積が増加して付着強度が向上する。
【００３１】
上板部１０の下側には、上方から加えられる荷重に対する支持強度を補強するために、補強部２０が設けられる。補強部２０は、側板部１１、支持部材２１およびリブ部材２２を含む。
【００３２】
詳しくは、側板部１１の一端が上板部１０の幅方向の両端に夫々連結され、上板部１０が支持構造物から所定の高さで離隔するように他側に延びる。側板部１１は、上板部１０の両端を堅固に支持するように上板部１０に垂直に延びる。
【００３３】
側板部１１は、上板部１０の両端を下方に曲げて形成することにより上板部１０と一体に形成することができる。
【００３４】
これにより、上板部１０または側板部１１に対する切断および溶接過程がなくても生産できるので、加工工程数を最小化して製品の製造性が向上する。また上板部１０および側板部１１が一体に形成されることにより最小限の厚さを有するので素材費用を節減でき、経済性が向上する。
【００３５】
勿論、場合によっては、側板部１１と上板部１０を分離することもできる。この時、側板部１１は上板部１０に溶接或いは別途の締結手段で結合でき、側板部１１は補強強度が改善されるように上板部１０の厚さとは異なる厚さに形成することができる。
【００３６】
側板部１１は他端から内側に折り曲げられて延びる下板部１１ａを備え、下板部１１ａは側板部１１に垂直に延びる。この時、下板部１１ａは上板部１０と実質的に互いに対向配置される。
【００３７】
ここで、実質的に互いに対向配置されるとは、上板部１０と下板部１１ａが平行に配置されていると理解できる。
【００３８】
下板部１１ａは側板部１１の他端を内側に曲げて一体に形成することができる。場合によっては、下板部１１ａと側板部１１が分離されており、溶接或いは別途の締結手段で結合することができる。
【００３９】
これにより、上板部１０は下板部１１ａが支持構造物に安着された状態で側板部１１により支持構造物から所定の高さに離隔するので、夫々の側板部１１の間に上板部１０の支持強度を補強できる構成部品が挿入される補強空間が形成される。
【００４０】
したがって、上板部１０が支持構造物から所定の高さに離隔された状態でも側板部１１により支持構造物上に安定的に安着できるので、仮設状態の安定性が向上する。
【００４１】
下板部１１ａの下部にはさらに剛性補強板２３が備えられる。剛性補強板２３は平板状であり、夫々の側板部１１の間の間隔に対応する長さに延びることができる。剛性補強板２３の両端は夫々の下板部１１ａに溶接或いは別途の締結手段で結合される。
【００４２】
これにより、夫々の側板部１１は上板部１０の上方から加えられる荷重により相互に間隔が広がる変形を最小化でき、補強部２０の歪み剛性が向上して製品の耐久性をより改善することができる。
【００４３】
なお、補強空間には複数の支持部材２１が備えられる。詳しくは、支持部材２１は円形または多角形の断面形状を有し、上板部１０の幅方向または長手方向に沿って所定の間隔で離隔配置される。この時、支持部材は上板部１０を全体的に支持するように配置された方向に対応して上板部１０の幅または長さに対応するように延長されることができる。支持部材２１の一端は上板部１０の下面に溶接或いは別途の締結手段で結合される。
【００４４】
これにより、支持部材２１は、上板部１０の上方に加えられる荷重により上板部１０の変位量が発生した時に復元可能な復元力を上板部１０に提供することができる。すなわち、車などの通行時に加えられる荷重により上板部１０に変位が発生しても、支持部材２１が上板部１０の下側を全体的に支持して上板部１０が元の形状に復元されることができる。
【００４５】
したがって、上板部１０は支持部材２１により荷重による変形を最小化することができ、耐久性が向上する。また複数の滑り止め層を備えた覆工板１００の上部が連続的なプロファイルに維持できるので、交替または補修にかかる作業量が減少して維持補修性が向上する。
【００４６】
また補強空間には複数のリブ部材２２が備えられる。リブ部材２２は所定の厚さを有する平板状である。リブ部材２２は複数個備えられ、支持部材２１と交差する方向に対応して所定の間隔で離隔配置される。例えば、支持部材２１が上板部１０の幅方向に沿って離隔配置される場合、リブ部材２２は支持部材２１と交差するように上板部１０の長手方向に沿って離隔配置される。
【００４７】
リブ部材２２の一端には支持部材２１が挿入される挿入ガイド溝２２ａが形成される。挿入ガイド溝２２ａは複数の支持部材２１が相互離隔された間隔に対応するように複数個形成され、支持部材２１が挿入ガイド溝２２ａに挿入されて固定される。
【００４８】
リブ部材２２は上板部１０と下板部１１ａの対向面間の間隔に対応する高さに形成され、夫々の対向面に両端が溶接或いは別途の締結手段で結合される。
【００４９】
これにより、リブ部材２２は上板部１０の上方に加えられる荷重を支持して支持強度を補強するだけではなく、挿入ガイド溝２２ａに支持部材２１が挿入された状態で離隔配置されるので、支持部材２１の変形および分離を防止できる。
【００５０】
上板部１０はリブ部材２２および支持部材２１により下面が全体的に支持されて変位発生による歪みが最小化されるので、耐久性が改善するだけではなく製品軽量化および組み立て工程の単純化による生産性向上の効果がある。
【００５１】
上板部１０および下板部１１ａの間にはさらに複数の垂直補強部材が備えられる。垂直補強部材は円形または多角形の断面形状を有し、上板部１０および下板部１１ａの対向面の間の間隔に対応する高さを有するように延びる。垂直補強部材の両端は上板部１０および下板部１１ａの間に溶接或いは別途の締結手段で結合される。
【００５２】
垂直補強部材は支持部材２１またはリブ部材２２と交番に配置されるように上板部１０の長手方向に沿って所定の間隔で離隔配置される。例えば、リブ部材２２が上板部１０の長手方向に沿って離隔配置される場合、垂直補強部材はリブ部材２２と交番に配置されるように実質的に相隣る夫々のリブ部材２２の間に配置される。
【００５３】
これにより側板部１１および下板部１１ａの曲げ部分は垂直補強部材により荷重が支持されて過度な荷重による変形を最小化することができ、製品の耐久性が向上する。
【００５４】
場合によって、垂直補強部材は中空型の四角パイプ状に形成することができる。垂直補強部材が中空型の四角パイプ状に形成される場合、上板部１０は下面に接する垂直補強部材の上面により支持される面積が増加するので、荷重に対する支持強度を一層補強できる。
【００５５】
支持部材２１およびリブ部材２２は、上板部１０の上方から加えられる荷重による変位量が復元できる剛性を有する金属材質からなることが好ましい。上板部１０は荷重に対する支持強度が補強されて変形または破損が防止されるので、耐久性が向上する。
【００５６】
なお、補強部２０の下部には、さらに整列安着部３０が備えられる。詳しくは、整列安着部３０は接合部３２および安着延長部３１を含む。接合部３２は所定の厚さを有し、上板部１０の幅に対応するように延びて形成され、夫々の下板部１１ａの下面に両端が溶接或いは別途の締結手段で結合される。
【００５７】
接合部３２の一端には下方に折り曲げられて延びた安着延長部３１が備えられる。すなわち、安着延長部３１は接合部３２が夫々の下板部１１ａの下面に結合した状態で実質的に下側に突設された形状である。
【００５８】
上板部１０の長さは、上板部１０の両端が相隣る支持構造物の上面に夫々所定の間隔重畳するように延びることが好ましい。整列安着部３０は下板部１１ａの下部に一対設けられ、上板部１０の長手方向の両端に対応して夫々配置される。夫々の安着延長部３１は相隣る支持構造物間の間隔に対応するように相互対向配置されることが好ましい。
【００５９】
これにより、支持構造物の上部に設けられた滑り止め層を備えた覆工板１００は、安着延長部３１が支持構造物の端部に係止されることにより上板部１０の前後方向への離脱を防止することができる。
【００６０】
したがって、滑り止め層を備えた覆工板１００は、整列安着部３０が支持構造物の夫々の端部に係止されるように安着するだけでも、別途の整列手段を設けることなく迅速かつ正確な位置へ整列配置でき、作業の効率性が向上する。
【００６１】
整列安着部３０には、さらに緩衝パッドが備えられる。詳しくは、緩衝パッドは、所定の弾性を有するゴム材質からなり、整列安着部３０が支持構造物上に安着される場合、支持構造物上に接するように接合部３２の下面に設けられて上板部１０を弾発支持する。
【００６２】
この時、緩衝パッドは、接合部３２の下面に接着剤などを用いて接着されるか或いは別途の締結手段により固定される。場合によっては、接合部３２と下板部１１ａに相互対向する位置に夫々締結孔が形成され、緩衝パッドに締結孔に挿入される挿入突起が突設されて締結孔に挿入締結することもできる。
【００６３】
滑り止め層を備えた覆工板１００は、緩衝パッドを備えることにより上方に加えられる荷重による衝撃を緩和して製品の耐久性が向上される。また滑り止め層を備えた覆工板１００は、緩衝パッドの摩擦力により位置離脱が最小になり、仮設状態の安定性が向上する。緩衝パッドは滑り止め層を備えた覆工板１００の設置作業時に落下などによる衝撃を緩和する緩衝力を補強するので、周りの構造物の衝撃或いは振動による破損が最小になって耐久性が向上する。
【００６４】
なお、塗膜ガイド部４０は、上板部１０の上縁部に沿って上側に突設され、上板部１０に垂直に延びる。塗膜ガイド部４０の下端は上板部１０の上縁部に沿って溶接或いは別途の締結手段で結合され、塗膜ガイド部４０内には塗布空間が形成される。場合によっては、塗膜ガイド部４０は上板部１０と一体に形成されることもでき、上板部１０と塗膜ガイド部４０が一体に形成される場合、溶接などの製造過程が短縮されて製造性が向上する。
【００６５】
塗膜ガイド部４０は、上板部１０の上方から加えられる荷重にも堅固に支持可能な金属性材質からなることが好ましい。塗膜ガイド部４０は上板部１０の材質に対応する材質で形成できる。
【００６６】
塗膜ガイド部４０は上板部１０の上側が実質的に箱状に区画されることにより内部に塗布空間が形成され、滑り止め用床材が塗布空間に塗布されて滑り止め層Ｍが形成される。
【００６７】
したがって、滑り止め用床材は塗膜ガイド部４０により上板部１０の外側に流れ出ることが予め防止されて損失を最小化でき、滑り止め用床材の消耗が顕著に減少して経済性が向上する。
【００６８】
また滑り止め用床材が上板部１０の外側に流れ出ることを予め防止できるので、上板部１０表面の縁部に滑り止め用床材が流れ出ることを防止するために付着するマスキングテープの消耗を減少でき、施工費用を節減できる。
【００６９】
滑り止め用床材は塗膜ガイド部４０により上板部１０の外側に流れ出ることが防止された状態で硬化するので、様々な紋様板を用いた滑り止め層Ｍの表面加圧が可能であり、様々な紋様を形成できるので製品の審美感が向上する。
【００７０】
一方、滑り止め用床材は、アクリル系樹脂またはエポキシ系樹脂、骨材および反応添加剤を含む。
【００７１】
詳しくは、アクリル系樹脂は、一般的な道路舗装工事、変色防止のための上塗りコーティング剤、モルタル化したコンクリート補修などの建築および土木用として使用される接着剤であって、低温速成硬化性と接着性、耐摩耗性、耐衝撃性などの物性に優れる。アクリル系樹脂は、メチルメタアクリル樹脂(ＭＭＡ)、ポリメチルメタアクリル樹脂(ＰＭＭＡ)およびこれらの混合物からなる群から選ばれる一つからなることが好ましい。
【００７２】
ここで、ポリメチルメタアクリル樹脂(ＰＭＭＡ)は、光、熱、放射線および過酸化物などにより常温でも容易に重合反応が起こり、触媒反応により硬化されながら養生(重合)するので、別途の硬化手段が不要である。養生(重合)過程において、長い炭素分子(−Ｃ−Ｃ−)環が形成されることにより、滑り抵抗性、耐久性、耐摩耗性、柔軟性および接着性に優れる。
【００７３】
エポキシ系樹脂は、石材、金属、セメント、木材などの表面接着剤として使用され、接着性、耐腐食性などの物性に優れ、低い硬化性収縮、温度抵抗性および化学的抵抗性を有し、様々な培地の浸透に効果的に抵抗できる。エポキシ系樹脂は、ビスフェノール−Ａエポキシ樹脂、ビスフェノール−Ｆエポキシ樹脂およびこれらの混合物からなる群から選ばれる一つからなることが好ましい。
【００７４】
骨材は、石英、二酸化ケイ素、炭化ケイ素、ヒスイ(ｊａｄｅ)、ガラスビーズおよびこれらの混合物からなる群から選ばれた一つからなり、滑り止め用床材の付着強度および滑り抵抗性が向上する。
【００７５】
さらに滑り止め用床材には、必要によって着色剤、粘度調節剤、ワックスおよび過酸化ベンゾイルなどを含む反応添加剤が含まれる。
【００７６】
滑り止め用床材には着色剤として酸化鉄が含まれることが好ましい。酸化鉄は視認性に優れながらも無毒性および無汚染の無機顔料であり、親環境的である。
【００７７】
滑り止め用床材には沈降防止剤として粘度調節剤が含まれることが好ましい。粘度調節剤は滑り止め用床材が均一な厚さに塗布されるようにシリカを含むことができ、例えば、ＯＣＩ社のＫ−２００フュームシリカ(ｆｕｍｅｄ  ｓｉｌｉｃａ)が使用できる。
【００７８】
滑り止め用床材には表面汚染防止剤としてワックスが含まれることが好ましい。ワックスは、パラフィンワックス、ポリエチレンワックスおよびこれらの混合物からなる群から選ばれる一つからなり、大気中の酸素を遮断し、硬化および乾燥された滑り止め用床材の表面の粘り気を防止して表面の汚染を最小化できる。
【００７９】
滑り止め用床材には反応速度調節剤として過酸化ベンゾイルが含まれることが好ましい。過酸化ベンゾイルは、滑り止め用床材の硬化速度を調節して塗布作業性を改善させる反応速度調節剤として備えられる。ここで、反応速度とは、滑り止め用床材が硬化する養生(重合)速度であると理解できる。
【００８０】
図３は本発明の第２の実施形態による滑り止め層を備えた覆工板を示す分解斜視図であり、図４は本発明の第２の実施形態による滑り止め層を備えた覆工板の長手方向断面図である。この実施形態においては、結合支持部を除いた基本的な構成が上述した第１の実施形態と同様であるので、同じ構成についての具体的な説明は省略する。
【００８１】
図３および図４に示したように、滑り止め層を備えた覆工板２００は、さらに結合支持部５０を含む。結合支持部５０は塗膜ガイド部４０内に形成された塗布空間の底部が複数の高さで形成された段差型の表面プロファイルに形成されるように塗膜ガイド部４０の内部に備えられる。
【００８２】
すなわち、結合支持部５０は上板部１０の上面から段差を有して突出する様々な形状で形成される。例えば、結合支持部５０は複数の突起で形成されて、上板部１０の幅方向および長手方向に沿って多段に配列されることができる。また結合支持部５０は塗布空間の底部に凹溝が形成されるように複数の凸部で形成されて、上板部１０の上面に凹凸部が形成されることもできる。また結合支持部５０は上板部１０の上面が階段状に段差を有するように段部が突出することができ、塗布空間が複数区画されるように隔壁で形成されることもできる。これにより、滑り止め用床材は上板部１０の上面だけではなく突出した端部の側面にも接することにより、接触面積が増加して付着強度がより向上する。
【００８３】
結合支持部５０は塗膜ガイド部４０とは別途に形成されて、溶接或いは別途の締結手段で結合することができる。場合によっては、結合支持部５０は塗膜ガイド部４０と一体に形成されることもできる。結合支持部５０の下部は上板部１０の上面に溶接或いは別途の締結手段で結合でき、結合支持部５０は塗膜ガイド部４０および上板部１０の上面のうちいずれか一方に結合することができる。
【００８４】
結合支持部５０は滑り止め用床材に接する面積を増加させるために、突起、凹凸、階段、隔壁のうちいずれか一つの形状で形成されて塗布空間の底部が複数の高さで形成される段差型の表面プロファイルに形成されることができる。この実施形態においては、結合支持部５０が複数の隔壁部材で形成される形状について説明する。
【００８５】
複数の隔壁部材は第１隔壁部材５０ａおよび第２隔壁部材５０ｂを含む。第２隔壁部材５０ｂは上板部１０の幅方向または長手方向のうちいずれか一方に沿って所定の間隔で離隔配置されて塗膜ガイド部４０に両端が連結される。
【００８６】
第１隔壁部材５０ａは、相隣る第２隔壁部材５０ｂの対向面の間、および塗膜ガイド部４０と第２隔壁部材５０ｂの対向面の間に、第２隔壁部材５０ｂと互いに交差して配置される。第１隔壁部材５０ａの両端は、相隣る第２隔壁部材５０ｂの対向面、および塗膜ガイド部４０と第２隔壁部材５０ｂの対向面に連結される。
【００８７】
すなわち、第２隔壁部材５０ｂが上板部１０の幅方向に沿って所定の間隔で離隔配置されると、第１隔壁部材５０ａは上板部１０の長手方向に沿って離隔配置され、配置された位置に対応して相隣る第２隔壁部材５０ｂの対向面または塗膜ガイド部４０と第２隔壁部材５０ｂの対向面に両端が夫々連結される。
【００８８】
塗膜ガイド部４０、第１隔壁部材５０ａおよび第２隔壁部材５０ｂのうち少なくとも２つ以上が取り囲む部分には、塗布空間が複数区画されるように空間部ｓが形成され、塗布空間が複数区画されることにより空間部ｓに滑り止め用床材が分割充填される。
【００８９】
これにより空間部ｓに滑り止め層Ｍが形成される場合、滑り止め用床材が上板部１０の上面とともに、第１隔壁部材５０ａおよび第２隔壁部材５０ｂの側面にも接するので、接触面積が増加する。
【００９０】
したがって滑り止め用床材は接する面積が増加して付着強度がより向上するとともに、滑り止め層Ｍの脱落を最小化できるので製品の耐久性が向上する。
【００９１】
第１隔壁部材５０ａおよび第２隔壁部材５０ｂのうちいずれか一方は他方の高さより低く設定される。例えば、第１隔壁部材５０ａの高さが第２隔壁部材５０ｂの高さより低く設定される。第１隔壁部材５０ａおよび第２隔壁部材５０ｂのうちいずれか一方には相隣る空間部ｓに連通する連通孔が形成される。これにより滑り止め用床材が塗布されると、相隣る空間部ｓに連通して安定的に空間部ｓに充填できるので施工便宜性が向上する。
【００９２】
第１隔壁部材５０ａは塗膜ガイド部４０を介して相隣る第１隔壁部材５０ａと交番に配置される。例えば、第２隔壁部材５０ｂが長手方向に沿って所定の間隔で離隔配置される場合、第１隔壁部材５０ａは、相隣る第２隔壁部材５０ｂの間、塗膜ガイド部４０と第２隔壁部材５０ｂの間に交番に配置されて、実質的に煉瓦が積層された形状に形成される。すなわち、第１隔壁部材５０ａおよび第２隔壁部材５０ｂは空間部ｓが所定のパターンで形成されるように配置される。よって第１隔壁部材５０ａと第２隔壁部材５０ｂが所定の間隔で配置されることにより空間部ｓが所定のパターンで形成されて製品の審美感が向上する。
【００９３】
この実施形態においては、結合支持部５０が実質的に煉瓦が積層された形状であることについて図示および説明したが、場合によって結合支持部５０は空間部ｓが円形または多角形の形状を有するように隔壁部材が突設されることもできる。例えば、空間部ｓが六角形状に形成されるように隔壁部材が蜂の巣構造を有することができる。すなわち、複数の隔壁部材は空間部ｓが様々な形状のパターンを形成するように配置でき、これらの変形例は本発明の範囲に属する。
【００９４】
図５は本発明の第２の実施形態による滑り止め層を備えた覆工板に滑り止め用床材が塗布された状態で凹凸形成用ローラが適用された状態を示す例示図である。
【００９５】
図５に示したように、滑り止め層Ｍは滑り止め効果を向上させるために、塗膜ガイド部４０内に滑り止め用床材が塗布された状態で凹凸形成用ローラ１を用いて加圧することにより凹凸形成層ｚを形成することができる。
【００９６】
詳しくは、凹凸形成用ローラ１には回転式ボディー部１ａの外面に所定の間隔で配置された複数の柱状の加圧突起１ｂが半径方向に突設されている。場合によっては回転式ボディー部１ａの円周方向に沿って所定の間隔で離隔され、所定の厚さを有する垂直または水平のフレームで形成することもできる。
【００９７】
塗膜ガイド部４０内に塗布された滑り止め用床材が硬化する前に凹凸形成用ローラ１が上板部１０の上面を回転移動する。これにより滑り止め層Ｍの上面に加圧突起１ｂの断面形状に対応する凹溝ｘおよび凸部ｙを含む凹凸形成層ｚが形成される。
【００９８】
よって滑り止め用床材は凹凸形成用ローラ１の回転力および荷重により加圧突起１ｂの端部面に加圧されながら上板部１０の上面に密着するので、滑り止め層Ｍの付着強度がより向上する。
【００９９】
滑り止め用床材は上板部１０の上面に塗布され、滑り止め層Ｍは３〜５ｍｍの厚さに形成されることが好ましい。すなわち、滑り止め用床材は塗膜ガイド部４０内に塗布され、凹凸形成用ローラ１により３〜５ｍｍの厚さの滑り止め層Ｍが形成される。
【０１００】
これにより上板部１０上を移動する車は、滑り止め層Ｍとタイヤとの摩擦力により滑り止め効果がより向上する。また温度によって滑り止め層Ｍの表面張力が変化して発生しえるハイドロプレーン現象を最小化できるので、雨天時にも道路の滑り止め効果がより向上する。
【０１０１】
ここで、塗膜ガイド部４０は塗布される滑り止め用床材の厚さに対応するように延びることが好ましい。すなわち、塗膜ガイド部４０の高さｈは、滑り止め用床材が塗布されて形成された滑り止め層Ｍの厚さに対応して設定される。
【０１０２】
結合支持部５０の隔壁部材は塗膜ガイド部４０の高さｈに対応する高さに延びることが好ましい。すなわち、第１隔壁部材５０ａおよび第２隔壁部材５０ｂの高さは塗膜ガイド部４０の高さｈに対応して形成される。
【０１０３】
これにより、第１隔壁部材５０ａおよび第２隔壁部材５０ｂにより滑り止め層Ｍの塗布高さをガイドでき、滑り止め層Ｍの上面に荷重が加えられる場合、塗膜ガイド部４０、第１隔壁部材５０ａおよび第２隔壁部材５０ｂは滑り止め層Ｍの上面に加えられる荷重が分散されるように支持する。
【０１０４】
例えば、滑り止め用床材が３〜５ｍｍの厚さに塗布されると、塗膜ガイド部４０は３〜５ｍｍの高さに延びる。第１隔壁部材５０ａおよび第２隔壁部材５０ｂは塗膜ガイド部４０の高さに対応して３〜５ｍｍの高さに延びる。これにより、作業者は塗膜ガイド部４０の高さｈおよび結合支持部５０の高さに対応するように滑り止め用床材を塗布して凹凸形成層ｚを形成するだけで滑り止め層Ｍの所定の厚さをガイドすることができる。
【０１０５】
これにより作業者は凹凸形成用ローラ１を用いて塗膜ガイド部４０および結合支持部５０の高さに対応して凹凸形成層ｚを形成するだけでも滑り止め層Ｍが均一な塗膜厚さに形成されるので、施工便宜性および作業性が顕著に改善される。
【０１０６】
また滑り止め層Ｍは、塗膜ガイド部４０の高さに対応して延びた結合支持部５０により上面に加えられる荷重が支持されることにより、滑り止め層を備えた覆工板２００が上下方向に積層されるか或いは上面に全体的に荷重が加えられる場合にも、損傷を最小化して製品耐久性がより向上する。
【０１０７】
この実施形態においては、上板部１０に塗膜ガイド部４０および結合支持部５０が備えられた状態で凹凸形成層ｚが形成される形状について例示したが、第１の実施形態のように上板部１０に塗膜ガイド部４０が備えられた状態で凹凸形成層ｚが形成されることもできる。
【０１０８】
図６は本発明の第３の実施形態による滑り止め層を備えた覆工板を示す斜視図である。この実施形態においては、保護部を除いた基本的な構成が上述した第２の実施形態と同様であるので、同じ構成についての具体的な説明は省略する。
【０１０９】
図６に示したように、滑り止め層を備えた覆工板３００の塗膜ガイド部１４０の上端には内側に折り曲げられて延びた保護部１４１が備えられる。保護部１４１は塗膜ガイド部１４０と一体に形成されることができる。すなわち、塗膜ガイド部１４０は保護部１４１の端部から下方に折り曲げられて形成され、曲がった塗膜ガイド部１４０の端部が隣接した塗膜ガイド部の端部と溶接されることにより塗膜ガイド部１４０と一体に形成される。
【０１１０】
塗膜ガイド部１４０および保護部１４１が一体に形成されることにより、均一な厚さを有しながら最小限の厚さに形成できるので、素材費用が節減できて経済的である。場合によっては、塗膜ガイド部１４０および保護部１４１はプレス加工などの方法により一体に形成することもできる。
【０１１１】
この時、保護部１４１は実質的に結合支持部５０と塗膜ガイド部１４０が結合された部分をカバーするように形成される。ここで、結合支持部５０は保護部１４１の下側を支持して上方から加えられる荷重を分散することができる。
【０１１２】
塗膜ガイド部１４０は支持強度を補強するために保護部１４１の厚さよりも厚く形成することができる。保護部１４１の厚さよりも厚く形成する場合、塗膜ガイド部１４０と保護部１４１は分離されており、溶接或いは別途の締結手段で結合することができる。
【０１１３】
塗膜ガイド部１４０および保護部１４１は上方から加えられる荷重にも堅固に支持できるように金属性材質からなることが好ましい。勿論、塗膜ガイド部１４０および保護部１４１は、製造コスト、耐久性、耐食性および疲労強度などを考慮して合金または他の金属材質で形成することもできる。
【０１１４】
図７は本発明の第３の実施形態による滑り止め層を備えた覆工板が積層された状態を示す例示図である。
【０１１５】
図７に示したように、組み立てが完了して複数の滑り止め層を備えた覆工板３００Ａ，３００Ｂは、空間の効率性を向上するために、上下方向に積層することができる。これにより、一側滑り止め層を備えた覆工板３００Ａの上側には、積層される他側滑り止め層を備えた覆工板３００Ｂの荷重が加えられる。
【０１１６】
ここで、一側滑り止め層を備えた覆工板３００Ａとは、上下方向に積層される滑り止め層を備えた覆工板のうち、実質的に下側に設けられる滑り止め層を備えた覆工板であると理解できる。
【０１１７】
保護部１４１は整列安着部３０が安着される幅に延長できる。詳しくは、一側滑り止め層を備えた覆工板３００Ａの保護部１４１の上面には、他側滑り止め層を備えた覆工板３００Ｂの安着延長部３１の下部の両端が夫々安着される。
【０１１８】
一側滑り止め層を備えた覆工板３００Ａの保護部１４１は、塗膜ガイド部１４０の上端から内側に折り曲げられて延びることにより実質的に滑り止め層Ｍの上縁部をカバーする。
【０１１９】
ここで、保護部１４１の延長幅は、塗膜ガイド部１４０の高さｈの１６０〜２００％の範囲に設定できる。例えば、塗膜ガイド部１４０の高さが５ｍｍである場合、保護部１４１の延長幅は８〜１０ｍｍに設定できる。
【０１２０】
この時、保護部１４１の延長幅が塗膜ガイド部１４０の高さｈの１６０％範囲未満である場合は、複数の滑り止め層を備えた覆工板３００Ａ，３００Ｂの積層状態によって保護部１４１の上側に安着延長部３１の下部の両端が安着されず、滑り止め層Ｍに接して荷重を加えることができる。
【０１２１】
したがって、保護部１４１の延長幅を塗膜ガイド部１４０の高さの１６０〜２００％の範囲に設定することにより、他側滑り止め層を備えた覆工板３００Ｂの安着延長部３１の下端が一側滑り止め層を備えた覆工板３００Ａの保護部１４１の上面に安着でき、滑り止め層Ｍを円滑に形成することができる。
【０１２２】
これにより、一側滑り止め層を備えた覆工板３００Ａの滑り止め層Ｍと、他側滑り止め層を備えた覆工板３００Ｂの安着延長部３１の下端との直接的な接触を防止できる。
【０１２３】
したがって、一側滑り止め層を備えた覆工板３００Ａの滑り止め層Ｍは、一側滑り止め層を備えた覆工板３００Ａに加えられる荷重が保護部１４１により支持されるので、脱落或いはクラック発生による不良率を最小化できる。また滑り止め層を備えた覆工板３００は滑り止め層Ｍが形成されても、すなわち製品の製作が完了した状態で上下方向に隣接して積層する場合、製品不良率の発生を最小化できるので、維持補修性が顕著に向上する。
【０１２４】
また滑り止め層Ｍを保護するための別途の部材を備えなくても、一側滑り止め層を備えた覆工板３００Ａの保護部１４１の上側に他側滑り止め層を備えた覆工板３００Ｂの安着延長部３１を安着するだけで安定的に積層できるので、作業の便宜性がより改善される。
【０１２５】
滑り止め層を備えた覆工板３００は積層保管が容易であるので、保管空間の効率が増大するだけではなく、支持構造物への設置のために使用する場合は、製品の製作が完了した状態であるので、別途の作業を行うことなく設置可能であり、作業の効率性が向上する。
【０１２６】
また、滑り止め層を備えた覆工板３００は、製造過程において滑り止め層Ｍが硬化する前に上下方向に積層しても保護部１４１により滑り止め層Ｍが保護されるので、広い敷地がない製造施設でも製作可能であり、生産効率が向上する。
【０１２７】
場合によっては、保護部１４１の延長幅は上板部１０の一端と整列安着部３０の対向内面の間の間隔に対応して設定できる。
【０１２８】
ここで、整列安着部３０の対向内面とは、下板部１１ａの下部に対向配置された一対の整列安着部３０が互いに対向する内面である理解できる。
【０１２９】
この時、保護部１４１の延長幅は上板部１０の長手方向の一端と、上板部１０の長手方向の一端に隣接して配置された整列安着部３０の対向内面の間の間隔に対応して設定できる。
【０１３０】
ここで、間の間隔とは、上板部１０の長手方向の一端から整列安着部３０の対向内面まで離隔した距離であると理解できる。
【０１３１】
したがって、一側滑り止め層を備えた覆工板３００Ａの保護部１４１の上面には他側滑り止め層を備えた覆工板３００Ｂの安着延長部３１の下端の全体が接して安定的に安着できる。
【０１３２】
これにより、他側滑り止め層を備えた覆工板３００Ｂが安着する面積が増加してより安定的に積層できるので、安定性および作業性が改善される。
【０１３３】
一方、保護部１４１と上板部１０の間には、さらに補助補強部材が備えられる。詳しくは、補助補強部材は保護部１４１の上方から加えられる荷重を均一に支持するために円形または多角形の断面形状を有する柱状などで形成される。
【０１３４】
補助補強部材は塗膜ガイド部１４０から保護部１４１の延長幅に対応する長さに延びることができる。補助補強部材は保護部１４１および上板部１０の相互対向面の間の間隔に対応して延びる。この時、補助補強部材は保護部１４１の下部および上板部１０の上部の間に第１隔壁部材５０ａおよび第２隔壁部材５０ｂと交番に配置される。
【０１３５】
補助補強部材の両端は保護部１４１の下部および上板部１０の上部に溶接或いは別途の締結手段で結合されることができる。補助補強部材は上板部１０の上方から加えられる荷重に堅固に支持できるように金属性材質からなることが好ましい。
【０１３６】
これにより、保護部１４１は補助補強部材が備えられることにより上方から加えられる荷重が分散されて変形を最小化でき、支持強度が補強されて製品耐久性が顕著に向上する。
【０１３７】
以上、本発明は、限定された実施形態と図面により説明されたが、本発明は、上記の実施形態に限定されるものではなく、本発明が属する分野における通常の知識を有した者であればこのような記載から多様な修正および変形が可能である。したがって、本発明の範囲は、説明された実施形態に限定されてはならず、後述する特許請求の範囲だけでなく、この特許請求の範囲と均等なものによって定められねばならない。
【符号の説明】
【０１３８】
１０    上板部
２０    補強部
３０    整列安着部
３１    安着延長部
４０，１４０    塗膜ガイド部
５０    結合支持部
１４１    保護部
Ｍ    滑り止め層
１００，２００，３００    滑り止め層を備えた覆工板
【図１】
2018105110.tif 000003
【図２】
2018105110.tif 000004
【図３】
2018105110.tif 000005
【図４】
2018105110.tif 000006
【図５】
2018105110.tif 000007
【図６】
2018105110.tif 000008
【図７】
2018105110.tif 000009
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
車や人の通行のために仮設される支持構造物の上側に設けられる滑り止め層を備えた覆工板において、
前記支持構造物の上部を覆って臨時路面が形成されるように前記支持構造物上に設けられる上板部と、
前記上板部に加えられる荷重に対する支持強度を補強するために前記上板部の下部に設けられ、前記上板部と前記支持構造物の間を支持する補強部と、
前記上板部の上縁部に沿って上側に突設されて内部に塗布空間が形成される塗膜ガイド部と、
前記塗布空間にアクリル系樹脂またはエポキシ系樹脂を含む滑り止め用床材が塗装された滑り止め層と、
前記塗膜ガイド部の内部に、前記塗布空間が複数区画されるように前記滑り止め用床材が分割充填される空間部が形成され、前記塗膜ガイド部の高さに対応する高さに延びる複数の隔壁部材が相互交差配置されている結合支持部と、を含む滑り止め層を備えた覆工板。
【請求項２】
さらに、前記補強部の下側に設けられ、前記支持構造物の端部に係止され、前記上板部が前記支持構造物上に整列および安着するように下側に突設された整列安着部を有し、
前記塗膜ガイド部には上端部が内側に折り曲げられて延びた保護部が備えられ、
前記保護部は前記整列安着部が安着される幅で延びることを特徴とする請求項１に記載の滑り止め層を備えた覆工板。
【請求項３】
前記滑り止め用床材は、メチルメタアクリル樹脂を含む前記アクリル系樹脂と、石英、二酸化ケイ素、炭化ケイ素、ヒスイ(ｊａｄｅ)、ガラスビーズおよびこれらの混合物からなる群から選ばれた一つからなる骨材および反応添加剤を含み、３〜５ｍｍの厚さに塗布され、
前記塗膜ガイド部は前記塗布された滑り止め用床材の厚さに対応するように延びることを特徴とする請求項１に記載の滑り止め層を備えた覆工板。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
車や人の通行のために仮設される支持構造物の上側に設けられる滑り止め層を備えた覆工板において、
前記支持構造物の上部を覆って臨時路面が形成されるように前記支持構造物上に設けられる上板部と、
前記上板部に加えられる荷重に対する支持強度を補強するために前記上板部の下部に設けられ、前記上板部と前記支持構造物の間を支持する補強部と、
前記上板部の上縁部に沿って上側に突設されて内部に塗布空間が形成される塗膜ガイド部と、
前記塗布空間にアクリル系樹脂またはエポキシ系樹脂を含む滑り止め用床材が塗装された滑り止め層と、
前記塗膜ガイド部の内部に、前記塗布空間が複数区画されるように前記滑り止め用床材が分割充填される空間部が形成され、前記塗膜ガイド部の高さと等しい高さに延びる複数の隔壁部材が相互交差配置されている結合支持部とを含み、
前記滑り止め用床材は、メチルメタアクリル樹脂を含む前記アクリル系樹脂と、石英、二酸化ケイ素、炭化ケイ素、ヒスイ（ｊａｄｅ）、ガラスビーズおよびこれらの混合物からなる群から選ばれた一つからなる骨材および反応添加剤を含み、３〜５ｍｍの厚さに塗布され、
前記塗膜ガイド部は前記塗布された滑り止め用床材の厚さと等しく延びる
ことを特徴とする滑り止め層を備えた覆工板。
【請求項２】
さらに、前記補強部の下側に設けられ、前記支持構造物の端部に係止され、前記上板部が前記支持構造物上に整列および安着するように下側に突設された整列安着部を有し、
前記塗膜ガイド部には上端部が内側に折り曲げられて延びた保護部が備えられ、
前記保護部は前記整列安着部が安着される幅で延びることを特徴とする請求項１に記載の滑り止め層を備えた覆工板。